(57)【要約】【課題】情報の入力作業の負荷を軽減できる入力支援プログラム、入力支援装置及び入力支援方法を提供することを目的とする。【解決手段】複数種類の介護行為の中から、特定の被介護者について実施された介護行為の選択を受け付け、被介護者の症状を記憶した記憶部を参照して、前記特定の被介護者の症状を特定し、選択された前記介護行為と、特定された前記症状との組み合わせに応じた、１又は複数の介護に関する１又は複数の情報入力候補を表示し、選択された前記介護行為と、前記１又は複数の情報入力候補のうち、選択された情報入力候補とを前記被介護者に対応づけて登録する、処理をコンピュータに実行させる。【選択図】図１０
2016081236.tif 000002
【特許請求の範囲】
【請求項１】
複数種類の介護行為の中から、特定の被介護者について実施された介護行為の選択を受け付け、
被介護者の症状を記憶した記憶部を参照して、前記特定の被介護者の症状を特定し、
選択された前記介護行為と、特定された前記症状との組み合わせに応じた、１又は複数の介護に関する１又は複数の情報入力候補を表示し、
選択された前記介護行為と、前記１又は複数の情報入力候補のうち、選択された情報入力候補とを前記被介護者に対応づけて登録する、
処理をコンピュータに実行させる介護情報の入力支援プログラム。
【請求項２】
前記情報入力候補は、
前記介護行為が選択された理由として入力される情報の候補であり、
前記情報入力候補は、
前記特定の被介護者と他の被介護者とに共通する第一の理由と、前記特定の被介護者の前記症状に対応した第二の理由の少なくとも何れか一方を含む請求項１記載の介護情報の入力支援プログラム。
【請求項３】
前記複数種類の介護行為と、前記第一の理由とが対応付けられた共通理由テーブルを参照し、前記選択された前記介護行為と対応する第一の理由を抽出し、
前記複数種類の介護行為と、前記第二の理由とが対応付けられた個別理由テーブルを参照し、前記選択された前記介護行為と対応する第二の理由のうち、前記被介護者の症状が、前記選択された前記介護行為と対応した所定の条件を満たす前記第二の理由を抽出し、
抽出した前記第一の理由と前記第二の理由と、を前記情報入力候補として表示させる、
処理を前記コンピュータに実行させる請求項２記載の介護情報の入力支援プログラム。
【請求項４】
複数種類の介護行為の中から、特定の被介護者について実施された介護行為の選択を受け付ける入力受付部と、
被介護者の症状を記憶した記憶部を参照して、前記特定の被介護者の症状を特定し、選択された前記介護行為と、特定された前記症状との組み合わせに応じた、１又は複数の介護に関する１又は複数の情報入力候補を表示させる画面データ生成部と、
選択された前記介護行為と、前記１又は複数の情報入力候補のうち、選択された情報入力候補とを前記被介護者に対応づけて登録する介護記録登録部と、
を有する介護情報の入力支援装置。
【請求項５】
コンピュータによる介護情報の入力支援方法であって、該コンピュータが、
複数種類の介護行為の中から、特定の被介護者について実施された介護行為の選択を受け付け、
被介護者の症状を記憶した記憶部を参照して、前記特定の被介護者の症状を特定し、
選択された前記介護行為と、特定された前記症状との組み合わせに応じた、１又は複数の介護に関する１又は複数の情報入力候補を表示し、
選択された前記介護行為と、前記１又は複数の情報入力候補のうち、選択された情報入力候補とを前記被介護者に対応づけて登録する、介護情報の入力支援方法。
【発明の詳細な説明】
【技術分野】
【０００１】
本発明は、介護情報の入力支援プログラム、入力支援装置及び入力支援方法に関する。
【背景技術】
【０００２】
従来から、看護や介護を必要とする人に対し、複数のスタッフが連携して看護や介護等を行うサービスが知られている。また、従来から、看護や介護等のサービスを提供する際に、スタッフに実施した介護や看護等のサービス内容を入力させてサービス内容を記録し、複数のスタッフ間で情報を共有させるシステムが知られている。
【先行技術文献】
【特許文献】
【０００３】
【特許文献１】特開２００３−１０８６６１号公報
【特許文献２】特開平１０−３１６９４号公報
【発明の概要】
【発明が解決しようとする課題】
【０００４】
看護や介護等のサービスを提供する場合、サービス提供者には、提供したサービス内容を記録に残すことが求められる。サービス提供者は、提供したサービス内容をコンピュータに入力して記録することが一般的である。
【０００５】
１つの側面では、情報の入力作業の負荷を軽減できる入力支援プログラム、入力支援装置及び入力支援方法を提供することを目的とする。
【課題を解決するための手段】
【０００６】
一様態によれば、複数種類の介護行為の中から、特定の被介護者について実施された介護行為の選択を受け付け、被介護者の症状を記憶した記憶部を参照して、前記特定の被介護者の症状を特定し、選択された前記介護行為と、特定された前記症状との組み合わせに応じた、１又は複数の介護に関する１又は複数の情報入力候補を表示し、選択された前記介護行為と、前記１又は複数の情報入力候補のうち、選択された情報入力候補とを前記被介護者に対応づけて登録する、処理をコンピュータに実行させる。
【０００７】
上記処理は、上記処理を実現する機能部、上記各処理を手順としてコンピュータにより実行させる方法、プログラムを記憶したコンピュータ読み取り可能な記憶媒体とすることもできる。
【発明の効果】
【０００８】
情報の入力作業の負荷を軽減できる。
【図面の簡単な説明】
【０００９】
【図１】入力支援システムのシステム構成の一例を示す図である。
【図２】入力支援装置のハードウェア構成の一例を示す図である。
【図３】プロファイルデータベースの一例を示す図である。
【図４】介護記録データベースの一例を示す図である。
【図５】テーブルデータベースに格納された実施内容テーブルの一例を示す図である。
【図６】テーブルデータベースに格納された共通理由テーブルの一例を示す図である。
【図７】テーブルデータベースに格納された個別理由テーブルの一例を示す図である。
【図８】テーブルデータベースに格納された使用頻度テーブルの一例を示す図である。
【図９】入力支援システムの有する各装置の機能を説明する図である。
【図１０】入力支援装置の動作を説明するフローチャートである。
【図１１】実施理由抽出部の処理を説明するフローチャートである。
【図１２】介護記録の入力画面の一例を示す第一の図である。
【図１３】介護記録の入力画面の一例を示す第二の図である。
【図１４】介護記録の入力画面の一例を示す第三の図である。
【発明を実施するための形態】
【００１０】
以下、実施形態を図面に基づいて説明する。図１は、入力支援システムのシステム構成の一例を示す図である。
【００１１】
本実施形態の入力支援システム１００は、入力支援装置２００と、端末装置３００とを有する。入力支援システム１００において、入力支援装置２００と、端末装置３００とは、ネットワーク等を介して接続されている。
【００１２】
本実施形態の入力支援システム１００は、例えば看護師や介護士等が、看護・介護等のサービスを提供する際に、サービス内容の記録（入力）の入力作業を支援する。
【００１３】
具体的には、本実施形態の入力支援装置２００は、サービス内容を入力させる入力画面の画面データを端末装置３００へ送信し、入力画面を端末装置３００へ表示させる。本実施形態の端末装置３００は、例えば実際に看護・介護等のサービスを提供する看護師や介護士等により、サービスの提供現場へ持参され、サービス内容の入力に用いられる。本実施形態におけるサービス内容とは、介護対象者に対して実施された看護や介護の内容を示す。
【００１４】
本実施形態では、端末装置３００に表示させる入力画面において、実施するサービスの内容が選択されると、選択されたサービスと対応した、サービスの実施理由の候補を選択肢として表示させる。本実施形態では、サービスの実施理由の候補を選択肢として表示させることで、サービスの実施理由の入力に掛かる時間を短縮し、記録の入力作業の負荷を軽減させる。
【００１５】
さらに、本実施形態では、サービスの実施理由の候補に、このサービスの利用者全員に共通する実施理由と、個々の利用者の状態に応じた実施理由とを含ませる。本実施形態では、個々の利用者の状態に応じた実施理由の選択肢を情報の入力候補として表示させることで、サービスの実施理由の入力作業の負荷をさらに軽減させる。
【００１６】
以下の実施形態の説明では、入力支援システム１００により、介護サービスにおける記録の入力作業を支援する形態について説明する。尚、本実施形態の入力支援システム１００により入力を支援するサービスは、介護サービスに限定されない。本実施形態の入力支援システム１００は、看護サービスによる看護記録の入力を支援しても良いし、看護サービスとて介護サービスの両方における記録の入力を支援しても良い。看護サービスとは、例えば看護師等による、医療行為を含む生活の援助を提供するものであり、介護サービスとは、例えば介護スタッフ等による、日常生活における援助を提供するものである。
【００１７】
本実施形態の入力支援装置２００は、入力支援プログラム２１０がインストールされており、プロファイルデータベース２２０、介護記録データベース２３０、テーブルデータベース２４０を有する。
【００１８】
プロファイルデータベース２２０は、介護サービスを利用する利用者の状態を示す情報が格納されている。介護サービスを利用する利用者とは、介護の対象となる介護対象者である。
【００１９】
介護記録データベース２３０は、介護サーヒスの利用者の状態や、利用者に対して実施したサービス内容を示す情報が格納されている。サービス内容を示す情報とは、すなわち、利用者に対して実施した介護記録を示す情報である。
【００２０】
テーブルデータベース２４０には、端末装置３００に表示させるサービス内容の入力画面の画面データを生成する際に参照されるテーブル群が格納されている。具体的には、テーブルデータベース２４０には、実施内容テーブル２４１、共通理由テーブル２４２、個別理由テーブル２４３、使用頻度テーブル２４４が格納されている。
【００２１】
本実施形態の入力支援装置２００は、入力支援プログラム２１０を実行し、プロファイルデータベース２２０と、テーブルデータベース２４０とを参照して介護記録の入力画面の画面データを生成して端末装置３００へ送信し、端末装置３００において入力された介護記録を介護記録データベース２３０へ格納する。
【００２２】
本実施形態の端末装置３００には、介護記録入力プログラム３１０がインストールされており、入力支援装置２００から受信した画面データに基づき介護記録の入力画面を表示させ、入力された介護記録を示す情報を入力支援装置２００へ送信する。
【００２３】
以下、図２を参照して本実施形態の入力支援装置２００のハードウェア構成について説明する。図２は、入力支援装置のハードウェア構成の一例を示す図である。
【００２４】
入力支援装置２００は、それぞれバスＢで相互に接続されている入力装置２１、出力装置２２、ドライブ装置２３、補助記憶装置２４、メモリ装置２５、演算処理装置２６及びインターフェース装置２７を含むコンピュータである。
【００２５】
入力装置２１はキーボードやマウス等を含み、各種信号を入力するために用いられる。出力装置２２はディスプレイ装置等を含み、各種ウィンドウやデータ等を表示するために用いられる。インターフェース装置２７は、モデム、ＬＡＮカード等を含み、ネットワークに接続する為に用いられる。
【００２６】
入力支援プログラム２１０は、入力支援装置２００を制御する各種プログラムの少なくとも一部である。入力支援プログラム２１０は例えば記録媒体２８の配布やネットワークからのダウンロードなどによって提供される。入力支援プログラム２１０を記録した記録媒体２８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２７】
また、入力支援プログラム２１０は、入力支援プログラム２１０を記録した記録媒体２８がドライブ装置２３にセットされるとは記録媒体２８からドライブ装置２３を介して補助記憶装置２４にインストールされる。ネットワークからダウンロードされた入力支援プログラム２１０は、インターフェース装置２７を介して補助記憶装置２４にインストールされる。
【００２８】
補助記憶装置２４は、インストールされた入力支援プログラム２１０を格納すると共に、必要なファイル、データ等を格納する。メモリ装置２５は、コンピュータの起動時に補助記憶装置２４から入力支援プログラム２１０を読み出して格納する。そして、演算処理装置２６はメモリ装置２５に格納された入力支援プログラム２１０に従って、後述するような各種処理を実現している。
【００２９】
尚、本実施形態の入力支援装置２００がタブレット型のコンピュータ等である場合には、入力装置２１及び出力装置２２を兼ねた表示操作装置を有しても良い。表示操作装置は、表示機能を有するタッチパネル等により実現される。
【００３０】
また、本実施形態の端末装置３００は、例えばスマートフォンやタブレット端末等であり、そのハードウェア構成は入力支援装置２００がタブレット型のコンピュータであった場合と同様であるから説明を省略する。
【００３１】
次に、本実施形態の入力支援装置２００の有する各データベースについて説明する。図３は、プロファイルデータベースの一例を示す図である。
【００３２】
本実施形態のプロファイルデータベース２２０は、基本プロファイルテーブル２２１、病名プロファイルテーブル２２２、ＡＤＬ（Activities of Daily Living）プロファイルテーブル２２３を有する。
【００３３】
基本プロファイルテーブル２２１は、利用者の基本的な情報が格納されたテーブルである。基本プロファイルテーブル２２１は、情報の項目として、利用者ＩＤ、氏名、生年月日、性別区分、地区コード、郵便番号、電話番号、基本住所、要介護度区分を有する。基本プロファイルテーブル２２１では、項目「利用者ＩＤ」の値に、他の項目の値が対応付けられている。
【００３４】
項目「利用者ＩＤ」の値は、利用者毎に付与される利用者の識別子である。項目「氏名」の値は、利用者の氏名である。項目「生年月日」の値は、利用者の生年月日である。項目「性別区分」の値は、利用者の性別を示す値である。本実施形態では、性別区分の値が「１」である場合は男性、性別区分の値が「２」である場合は女性とした。
【００３５】
項目「地区コード」の値は、利用者の基本住所の地区を特定する値である。項目「郵便番号」の値は、利用者の基本住所と対応する郵便番号である。項目「基本住所」の値は、利用者の住所である。項目「要介護度区分」の値は、利用者がどの程度の介護を必要としているかを示す値である。本実施形態の要介護度区分は、例えば７段階に分けられており、要介護度に応じて介護を必要とする度合いが高まるようにしても良い。
【００３６】
本実施形態の病名プロファイルテーブル２２２は、利用者の病名に関する情報が格納されたテーブルである。病名プロファイルテーブル２２２は、情報の項目として、利用者ＩＤ、病名開始日、漢字病名、病名終了日を有し、項目「利用者ＩＤ」の値に他の項目の値が対応付けられている。
【００３７】
項目「病名開始日」の値は、例えば利用者の病名が診断された日を示す。または、項目「病名開始日」の値は、利用者の病名により診察を受けた初診日を示しても良い。項目「漢字病名」の値は、利用者の病名の漢字表記である。項目「病名終了日」の値は、対応する病名が完治した日と診断された日である。
【００３８】
本実施形態のＡＤＬプロファイルテーブル２２３は、利用者の日常生活動作に関する情報が格納されたテーブルである。日常生活動作とは、食事・更衣・移動・排泄・整容・入浴など生活を営む上で不可欠な基本的行動を指す。
【００３９】
ＡＤＬプロファイルテーブル２２３は、情報の項目として、利用者ＩＤ、寝たきり度判定基準、認知症老人判定基準、老人知能を有する。
【００４０】
項目「寝たきり度判定基準」の値は、高齢者の日常生活自立度の程度を示す。項目「認知症老人判定基準」の値は、利用者の認知症の程度を示す。項目「老人知能」の値は、認知症の人の日常生活能力と日常会話・意思疎通等の知能状態を示す。本実施形態では、項目「老人知能」の値を例えば６段階の値とした。
【００４１】
本実施形態の以下の説明では、プロファイルデータベース２２０の有する各テーブルにおいて、項目「利用者ＩＤ」の値と、項目「利用者ＩＤ」と対応付けられた各項目の値とを含む情報を、プロファイル情報と呼ぶ。
【００４２】
図４は、介護記録データベースの一例を示す図である。本実施形態の介護記録データベース２３０は、利用者毎の介護記録を示す情報が格納される。
【００４３】
本実施形態の介護記録データベース２３０は、情報の項目として、利用者ＩＤ、介護開始日時、介護終了日時、実施内容コード、共通実施理由コード、個別実施理由コード、体温、血圧（上）、血圧（下）、脈拍、呼吸数を有する。
【００４４】
項目「介護開始日時」の値は、利用者に対する介護行為が開始された日時を示す。項目「介護終了日時」の値は、利用者に対する介護行為が終了した日時を示す。項目「実施内容コード」の値は、後述する実施内容と対応するコードを示す。項目「共通実施理由コード」の値は、後述する共通理由テーブル２４２における共通実施理由コードを示す。項目「個別実施理由コード」の値は、後述する個別理由テーブル２４３における個別実施理由コードを示す。
【００４５】
項目「体温」の値は介護開日時以降に測定された利用者の体温を示し、項目「血圧（上）」の値は介護開日時以降に測定された利用者の血圧（上）を示し、項目「血圧（下）」の値は介護開日時以降に測定された利用者の血圧（下）を示す。また、項目「脈拍」の値は介護開日時以降に測定された利用者の脈拍数を示し、項目「呼吸数」の値は介護開日時以降に測定された利用者の呼吸数を示す。
【００４６】
本実施形態の以下の説明では、介護記録データベース２３０において、項目「利用者ＩＤ」の値と、項目「利用者ＩＤ」と対応付けられた各項目の値とを含む情報を、介護情報と呼ぶ。
【００４７】
図５は、テーブルデータベースに格納された実施内容テーブルの一例を示す図である。本実施形態の実施内容テーブル２４１は、情報の項目として、実施内容コードと、じっし内容とを有し、両者は対応付けられている。
【００４８】
項目「実施内容コード」の値は、実施内容と対応付けられたコードであり、本実施形態では数値で示される。項目「実施内容」の値は、介護行為の種類を示す。
【００４９】
本実施形態の実施内容テーブル２４１において、例えば、実施内容コード「１」は、口腔ケア（介助）を示し、実施内容コード「２」は、入浴介助を示す。
【００５０】
図６は、テーブルデータベースに格納された共通理由テーブルの一例を示す図である。本実施形態の共通理由テーブル２４２は、実施内容コードと、実施内容コードと対応付けられた介護行為が実施された理由とを対応付けたテーブルである。以下の説明では、介護行為が実施された理由を実施理由と呼ぶ。
【００５１】
本実施形態では、共通理由テーブル２４２に格納された実施理由は、介護記録の入力画面において、入力支援システム１００が入力を支援する介護サービスの利用者全てに共通する実施理由の選択肢として表示される。以下の説明では、介護サービスの利用者全てに共通する実施理由を共通実施理由と呼ぶ。
【００５２】
本実施形態の共通理由テーブル２４２は、情報の項目として、実施内容コード、共通実施理由コード、優先順位、共通実施理由を有する。
【００５３】
項目「共通実施理由コード」の値は、項目「共通実施理由」の値と対応付けられたコードを示す。項目「優先順位」の値は、介護行為の実施理由を選択肢として共通実施理由を表示させる際の表示順を示す。項目「共通実施理由」の値は、介護サービスの利用者に共通した介護行為を実施した理由を示す。
【００５４】
図６に示す共通理由テーブル２４２では、例えば実施内容コード「１」と対応する介護行為の共通実施理由コードは、「１」〜「３」である。共通実施理由コード「１」の優先順位は「１」であり、共通実施理由コード「２」の優先順位は「２」であり、共通実施理由コード「３」の優先順位は「３」である。
【００５５】
したがって、本実施形態では、介護記録の入力画面において、実施内容コード「１」と対応する介護行為「口腔ケア（介助）」の実施理由として、共通実施理由コード「１」〜「３」のそれぞれと対応する共通実施理由が、優先順位に従って、選択肢として表示される。
【００５６】
図７は、テーブルデータベースに格納された個別理由テーブルの一例を示す図である。本実施形態の個別理由テーブル２４３、実施内容コードと、実施内容コードと対応付けられた介護行為の個別実施理由とを対応付けたテーブルである。
【００５７】
本実施形態では、個別理由テーブル２４３に格納された個別実施理由は、プロファイル情報の特定の項目が表示条件を満たす利用者の介護記録の入力画面においてのみ、介護行為と対応した選択肢として表示される。以下の説明では、特定の利用者と対応する実施理由を個別実施理由と呼ぶ。
【００５８】
本実施形態の個別理由テーブル２４３は、情報の項目として、実施内容コード、個別実施理由コード、照合項目、表示条件、優先順位、個別実施理由を有する。
【００５９】
項目「照合項目」の値は、利用者のプロファイル情報において、項目「表示条件」の値と照合する項目を示す。項目「表示条件」の値は、実施理由を介護行為と対応させた選択肢として表示させる条件を示す。
【００６０】
項目「優先順位」の値は、実施理由を選択肢として表示させる際の個別実施理由の表示順を示す。本実施形態では、共通実施理由の次に、個別実施理由を優先順位にしたがって表示させても良い。
【００６１】
項目「個別実施理由」の値は、介護サービスの利用者のうち、プロファイル情報と介護情報における項目「照合項目」の値が項目「表示条件」の値で示される条件を満たす利用者に対する介護行為の実施理由を示す。
【００６２】
図７に示す個別理由テーブル２４３では、実施内容コード「１」と対応する個別実施理由コード「１」の個別実施理由は、プロファイル情報の項目「認知症老人判定基準」の値が項目「表示条件」の値と照合される。図７に示す個別理由テーブル２４３によれば、項目「認知症老人判定基準」の値が３以上であった場合に、個別実施理由コード「１」と対応する個別実施理由「認知症のため、問題行動に注意が必要」が実施理由の選択肢に追加される。
【００６３】
図８は、テーブルデータベースに格納された使用頻度テーブルの一例を示す図である。本実施形態の使用頻度テーブル２４４は、共通理由テーブル２４２と、個別理由テーブル２４３の項目「優先順位」の更新に用いられる。
【００６４】
本実施形態の使用頻度テーブル２４４は、情報の項目として、実施内容コード、共通実施内容コード、個別実施内容コード、使用頻度を有する。
【００６５】
項目「使用頻度」の値は、介護記録の入力画面において、共通実施理由コード又は個別実施理由コードが選択された回数を示す。
【００６６】
次に、図９を参照して、本実施形態の入力支援システム１００の有する各装置の機能について説明する。
【００６７】
図９は、入力支援システムの有する各装置の機能を説明する図である。本実施形態の入力支援装置２００は、入力支援処理部２１０Ａを有する。入力支援処理部２１０Ａは、演算処理装置２６が入力支援プログラム２１０を実行することで実現される。
【００６８】
入力支援処理部２１０Ａは、入力受付部２１１、プロファイル取得部２１２、実施内容取得部２１３、実施理由抽出部２１４、表示順決定部２１５、介護記録格納部２１６、優先順更新部２１７、画面データ生成部２１８、実施理由更新部２１９を有する。
【００６９】
入力受付部２１１は、入力支援装置２００に対する入力を受け付ける。入力支援装置２００に対する入力とは、例えば端末装置３００から情報を受信することを含む。
【００７０】
プロファイル取得部２１２は、入力受付部２１１が利用者の介護記録の入力画面の表示要求を受け付けると、プロファイルデータベース２２０から、利用者に対応したプロファイル情報を取得する。
【００７１】
実施内容取得部２１３は、テーブルデータベース２４０の実施内容テーブル２４１を差参照し、入力画面に表示させる実施内容を取得する。
【００７２】
実施理由抽出部２１４は、入力受付部２１１が、端末装置３００に表示された入力画面における実施内容の選択を受け付けると、実施内容に対応した実施理由を抽出する。具体的には、実施理由抽出部２１４は、テーブルデータベース２４０の共通理由テーブル２４２を参照し、実施内容に対応した共通実施理由コードを抽出する。また、実施理由抽出部２１４は、テーブルデータベース２４０の個別理由テーブル２４３を参照し、実施内容に対応した個別実施理由コードを抽出する。
【００７３】
表示順決定部２１５は、実施理由抽出部２１４により抽出された共通実施理由と、個別実施理由の表示順を決定する。
【００７４】
介護記録格納部２１６は、入力受付部２１１により端末装置３００に表示された入力画面における実施理由の選択を受け付けると、実施内容と選択された実施理由とを介護記録データベース２３０の利用者ＩＤと対応付けて格納する。また、介護記録格納部２１６は、端末装置３００に表示された入力画面に入力された他の項目の値も、介護記録データベース２３０の利用者ＩＤと対応付けて格納する。入力画面に入力された他の項目の値とは、例えば利用者の状態を示す情報である。
【００７５】
優先順更新部２１７は、選択された実施理由に基づき、使用頻度テーブル２４４を更新し、使用頻度テーブル２４４を参照して共通理由テーブル２４２と個別理由テーブル２４３の優先順位の値を更新する。
【００７６】
画面データ生成部２１８は、上述の各部が取得した情報に基づき、端末装置３００に表示させる画面の画面データを生成する。
【００７７】
実施理由更新部２１９は、実施理由として個別実施理由が新たに入力された際に、個別理由テーブル２４３を更新する。
【００７８】
本実施形態の端末装置３００は、介護記録入力処理部３１０Ａを有する。介護記録入力処理部３１０Ａは、端末装置３００の演算処理装置が介護記録入力プログラム３１０を実行することで実現される。
【００７９】
本実施形態の介護記録入力処理部３１０Ａは、入力受付部３１１、表示制御部３１２を有する。
【００８０】
入力受付部３１１は、端末装置３００に表示された画面に対する入力を受け付ける。表示制御部３１２は、入力支援装置２００から送信された画面データを端末装置３００の表示装置へ表示させる。
【００８１】
次に、図１０を参照して本実施形態の入力支援装置２００の動作を説明する。図１０は、入力支援装置の動作を説明するフローチャートである。
【００８２】
本実施形態の入力支援装置２００は、入力受付部２１１により、端末装置３００から介護記録の入力要求を受け付けたか否かを判定する（ステップＳ１００１）。尚、本実施形態の入力受付部２１１は、介護記録の入力要求と共に、介護を受ける介護対象者、すなわち、介護サービスの利用者ＩＤを受け付ける。
【００８３】
ステップＳ１００１において、入力要求を受け付けない場合、入力支援装置２００は、入力要求を受け付けるまで待機する。ステップＳ１００１において、入力要求を受け付けると、入力支援装置２００は、プロファイル取得部２１２により、プロファイルデータベース２２０を参照し、利用者ＩＤと対応するプロファイル情報を取得する。そして入力支援装置２００は、画面データ生成部２１８により、プロファイル情報に基づく介護記録の入力画面の画面データを生成し、端末装置３００へ送信する（ステップＳ１００２）。
【００８４】
続いて入力支援装置２００は、入力受付部２１１により、端末装置３００に表示された入力画面における利用者の状態情報の入力を受け付けたか否かを判定する（ステップＳ１００３）。利用者の状態情報とは、例えば利用者が介護を受ける際に測定された利用者の体温、血圧、脈拍、呼吸数等のバイタルサインを含む情報であっても良い。ステップＳ１００３において入力された状態情報は、介護情報として、介護記録データベース２３０に格納される。
【００８５】
ステップＳ１００３において、状態情報の入力を受け付けない場合、入力支援装置２００は、状態情報の入力を受け付けるまで待機する。
【００８６】
ステップＳ１００３において、状態情報の入力を受け付けると、入力支援装置２００は、実施内容取得部２１２により、実施内容テーブル２４１を参照し、利用者に提供する介護の種類を示す実施内容の一覧を取得する。そして、画面データ生成部２１８により、端末装置３００に表示された入力画面上に、実施内容一覧のウィンドウを表示させる画面データを生成し、端末装置３００へ送信する（ステップＳ１００４）。
【００８７】
続いて入力支援装置２００は、入力受付部２１１により、端末装置３００における実施内容の選択を受け付けたか否を判定する（ステップＳ１００５）。ステップＳ１００５において、選択を受け付けていない場合、入力支援装置２００は待機する。
【００８８】
ステップＳ１００５おいて、実施内容の選択を受け付けた場合、入力支援装置２００は、実施理由抽出部２１４により、利用者のプロファイル情報と入力済みの介護情報とを参照し、実施理由を抽出する（ステップＳ１００６）。尚、本実施形態では、入力受付部２１１が端末装置３００において選択された実施内容と対応する実施内容コードを受け付けたことで、実施内容が選択されたものと判定しても良い。また、本実施形態の実施理由抽出部２１４は、共通実施理由と対応する共通実施理由コードと、個別実施理由に対応する個別実施理由コードとを抽出するものとした。実施理由抽出部２１４の処理の詳細は後述する。
【００８９】
続いて入力支援装置２００は、表示順決定部２１５により、抽出された実施理由の表示順を決定し、画面データ生成部２１８により、実施理由を選択させるための実施理由一覧のウィンドウを表示させる画面データを生成して端末装置３００に表示させる（ステップＳ１００７）。具体的には表示順決定部２１５は、抽出された共通実施理由コードと対応する優先順位と、個別実施理由コードと対応する優先順位を参照し、表示順を決定する。本実施形態の表示順決定部２１５は、例えば実施理由に含まれる共通実施理由から順に表示順を決定しても良い。
【００９０】
続いて入力支援装置２００は、入力受付部２１１により、端末装置３００における実施理由の選択を受け付けたか否かを判定する（ステップＳ１００８）。
【００９１】
ステップＳ１００８において、選択を受け付けない場合、入力支援装置２００は、後述するステップＳ１０１１へ進む。
【００９２】
ステップＳ１００８において選択を受け付けた場合、入力支援装置２００は、介護記録格納部２１６により、選択された実施内容と実施理由とを、利用者ＩＤと対応付けて介護記録データベース２３０に格納する（ステップＳ１００９）。より具体的には、介護記録格納部２１６は、選択された実施内容コードと、選択された共通実施理由コードと、個別実施理由コードとを対応付けて格納する。尚、介護記録格納部２１６は、実施内容が選択された時刻を、利用者に対する介護の開始日時として、利用者ＩＤと対応付けて格納しても良い。また、介護記録格納部２１６は、個別実施理由が選択されなかった場合には、共通実施理由コードのみを格納すれば良い。
【００９３】
続いて入力支援装置２００は、優先順更新部２１７により、選択された実施理由の使用頻度を更新した後に、実施理由の優先順位を更新し（ステップＳ１０１０）、処理を終了する。具体的には優先順更新部２１７は、選択された共通実施理由コードと個別実施理由コードのそれぞれに対応する使用頻度の値を１インクリメントし、インクリメント後の使用頻度を用いて優先順を更新する。
【００９４】
また、本実施形態の入力支援装置２００は、端末装置３００において、利用者に対する介護記録の入力の終了指示を受け付けたら、入力支援の処理を終了しても良い。
【００９５】
ステップＳ１００８において、実施理由の選択を受け付けない場合、入力支援装置２００は、入力受付部２１１により、新たな実施理由の入力要求を受け付けたか否かを判定する（ステップＳ１０１１）。
【００９６】
ステップＳ１０１１において入力要求を受け付けない場合、入力支援装置２００は、ステップＳ１００６に戻る。
【００９７】
ステップＳ１０１１において入力要求を受け付けた場合、入力支援装置２００は、画面データ生成部２１８により、新規の実施理由の入力ウィンドウを表示させる画面データを生成し、端末装置３００へ送信する（ステップＳ１０１２）。
【００９８】
次に入力支援装置２００は、入力受付部２１１により、新たな実施理由の入力を受け付けたか否かを判定する（ステップＳ１０１３）。ステップＳ１０１３において入力を受け付けない場合、入力支援装置２００は、実施理由の入力を受け付けるまで待機する。
【００９９】
ステップＳ１０１３において入力を受け付けた場合、入力支援装置２００は、画面データ生成部２１８により、入力された実施理由を共通実施理由とするか否かを選択させるウィンドウを端末装置３００に表示させる画面データを生成し、端末装置３００へ送信する（ステップＳ１０１４）。
【０１００】
ステップＳ１０１４において共通実施理由とされた場合、入力支援装置２００は、実施更新部２１９により、入力された実施理由に対して共通実施理由コードを付与し、共通理由テーブル２４２へ格納することで、共通理由テーブル２４２を更新し（ステップＳ１０１５）、処理を終了する。尚、ここで新たに入力された実施理由の使用頻度は１となる。
【０１０１】
ステップＳ１０１４において共通実施理由でないと場合、入力支援装置２００は、実施更新部２１９により、入力された実施理由に対して個別実施理由コードを付与し、個別理由テーブル２４３へ格納することで、個別理由テーブル２４３を更新し（ステップＳ１０１６）、処理を終了する。
【０１０２】
次に、図１１を参照し、本実施形態の実施理由抽出部２１４の処理について説明する。図１１は、実施理由抽出部の処理を説明するフローチャートである。
【０１０３】
本実施形態の実施理由抽出部２１４は、実施内容コードが選択されると、共通理由テーブル２４２を参照し、実施内容コードと対応する共通実施理由コードを抽出する（ステップＳ１１０１）。続いて実施理由抽出部２１４は、個別理由テーブル２４３を参照し、実施内容コードと対応する個別実施理由コードを取得する（ステップＳ１１０２）。
【０１０４】
続いて実施理由抽出部２１４は、個別理由テーブル２４３を参照し、取得した個別実施理由コードと対応する照合項目の値を取得する（ステップＳ１１０３）。
【０１０５】
続いて実施理由抽出部２１４は、取得した照合項目の値が、利用者ＩＤと対応するプロファイル情報に含まれるか否かを判定する（ステップＳ１１０４）。
【０１０６】
ステップＳ１１０４において、照合項目の値がプロファイル情報に含まれない場合、実施理由抽出部２１４は、後述するステップＳ１１０７へ進む。
【０１０７】
ステップＳ１１０４において、照合項目の値がプロファイル情報に含まれる場合、実施理由抽出部２１４は、プロファイル情報に含まれる照合項目の値が、個別理由テーブル２４３の個別実施理由コードと対応する表示条件を満たすか否かを判定する（ステップＳ１１０５）。ステップＳ１１０５において表示条件を満たさない場合、実施理由抽出部２１４は、後述するステップＳ１１０７へ進む。
【０１０８】
ステップＳ１１０５において表示条件を満たすとき、実施理由抽出部２１４は、この個別実施理由コードを抽出する（ステップＳ１１０６）。
【０１０９】
次に実施理由抽出部２１４は、照合項目の値が、介護情報に含まれるか否かを判定する（ステップＳ１１０７）。ステップＳ１１０７における介護情報とは、ステップＳ１００３において入力された状態情報を示す。
【０１１０】
ステップＳ１１０７において、照合項目の値が介護情報に含まれない場合、実施理由抽出部２１４は、処理を終了する。
【０１１１】
ステップＳ１１０７において、照合項目の値が介護情報に含まれる場合、実施理由抽出部２１４は、介護情報に含まれる照合項目の値が、個別理由テーブル２４３の個別実施理由コードと対応する表示条件を満たすか否かを判定する（ステップＳ１１０８）。ステップＳ１１０８において表示条件を満たさない場合、実施理由抽出部２１４は、処理を終了する。
【０１１２】
ステップＳ１１０８において表示条件を満たすとき、実施理由抽出部２１４は、この個別実施理由コードを抽出する（ステップＳ１１０９）。
【０１１３】
本実施形態の実施理由抽出部２１４は、ステップＳ１１０２で取得した実施内容コードに対応する全ての個別実施理由コードについて、ステップＳ１１０３からステップＳ１１０９までの処理を実行し、個別実施理由コードを抽出する。
【０１１４】
本実施形態では、以上のように、利用者のプロファイル情報と、直前に入力された介護情報に基づき、実施内容を選択した個別実施理由を抽出することで、利用者の状態に応じた実施理由の選択肢を表示させることができる。
【０１１５】
次に、図１２乃至１４を参照し、本実施形態の入力支援装置２００の処理について具体的に説明する。
【０１１６】
図１２は、介護記録の入力画面の一例を示す第一の図である。図１２に示す画面１２１は、介護情報に含まれる、体温、血圧、脈拍、呼吸数等の状態情報を入力する入力画面を示している。
【０１１７】
図１２に示す画面１２１では、状態情報を入力する入力欄１２２と、実施内容を入力する入力欄１２３とが表示される。また、画面１２１には、入力欄１２２、１２３の他にも、介護の開始日時と重量時間を入力する入力欄や介護を行うスタッフの氏名や保有資格等を入力する入力欄等が含まれる。
【０１１８】
図１３は、介護記録の入力画面の一例を示す第二の図である。図１３に示す画面１３１では、図１２に示す画面１２１上に、実施内容一覧のウィンドウ１３２と、実施理由一覧のウィンドウ１３３とが表示されている。
【０１１９】
以下に、図３乃至７を参照し、ウィンドウ１３３に表示される実施理由一覧の抽出について、具体的に説明する。
【０１２０】
画面１３１は、利用者ＩＤ「１」の利用者の介護記録の入力画面である。図１３の例では、ウィンドウ１３２において、利用者ＩＤ「１」の利用者に対して実施する介護の種類として、「入浴介助」が選択されている。
【０１２１】
そこで、入力支援装置２００の実施内容取得部２１３は、実施内容テーブル２４１を参照し、実施内容コード「２」を取得する。次に、実施理由抽出部２１４は、共通理由テーブル２４２を参照し、実施内容コード「２」と対応する共通実施理由コード「１」を取得する（図６参照）。また、実施理由抽出部２１４は、個別理由テーブル２４３を参照し、実施内容コード「２」と対応する個別実施理由コード「１」、「２」、「３」を取得する（図７参照）。
【０１２２】
個別実施理由コード「１」と対応する照合項目の値は「体温」であり、表示条件は「３８．０度以上」である。体温は、利用者ＩＤ「１」の状態情報であり、介護情報に含まれる。そこで実施理由抽出部２１４は、利用者ＩＤ「１」の介護情報に含まれる体温が表示条件の「３８．０度以上」であるか否かを判定する。利用者ＩＤ「１」の介護情報に含まれる体温は、３５．０度（図４参照）である。したがって、実施理由抽出部２１４は、個別実施理由コード「１」は抽出しない。
【０１２３】
個別実施理由コード「２」と対応する照合項目の値は「体温」であり、表示条件は「３５．５度以下」である。そこで実施理由抽出部２１４は、利用者ＩＤ「１」の介護情報に含まれる体温が表示条件の「３５．５度以下」であるか否かを判定する。利用者ＩＤ「１」の介護情報に含まれる体温は、３５．０度（図４参照）であり、表示条件を満たす。したがって、実施理由抽出部２１４は、個別実施理由コード「２」を抽出する。
【０１２４】
個別実施理由コード「３」と対応する照合項目の値は「病名」であり、表示条件は「心筋梗塞」である。そこで実施理由抽出部２１４は、病名は、プロファイルデータベース２２０の病名プロファイルテーブル２２２に格納されるものであり、利用者ＩＤ「１」のプロファイル情報に含まれる。そこで実施理由抽出部２１４は、利用者ＩＤ「１」のプロファイル情報に含まれる病名が表示条件の「心筋梗塞」であるか否かを判定する。利用者ＩＤ「１」のプロファイル情報に含まれる病名は、心筋梗塞（図４参照）であり、表示条件を満たす。したがって、実施理由抽出部２１４は、個別実施理由コード「３」を抽出する。
【０１２５】
以上のことから、図１３に示す実施理由一覧のウィンドウ１３３に表示される実施理由は、共通実施理由コード「１」と対応する実施理由１３４と、個別実施理由コード「２」と対応する実施理由１３５と、個別実施理由コード「３」と対応する実施理由１３６である。
【０１２６】
ここで、本実施形態では、共通実施理由から順に表示させるため、図１３に示すウィンドウ１３３には、実施理由１３４が最上位に表示され、個別実施理由である実施理由１３５、１３６は、それぞれの個別実施利用コードと対応した優先順位にしたがって表示される。図１３の例では、個別実施理由コード「２」と対応する優先順位が「２」であり、個別実施理由コード「３」と対応する優先順位が「３」である。したがって、ウィンドウ１３３では、実施理由１３４に続いて、実施理由１３５、１３６の順に表示されている。
【０１２７】
また、ウィンドウ１３３には、新たに実施理由を入力する入力欄１３７も含まれる。新たに実施理由を入力する入力欄１３７は、例えばウィンドウ１３３の最下段に表示されても良い。
【０１２８】
以下に、図１４を参照して、新たに実施理由を入力する場合について説明する。図１４は、介護記録の入力画面の一例を示す第三の図である。図１４（Ａ）は、新たな実施理由が入力された実施理由一覧のウィンドウ１３３Ａを示している。図１４（Ｂ）は、入力された実施理由を共通実施理由とするか否かを選択させる画面１４３を示している。図１４（Ｃ）は、個別実施理由とする場合の照合項目の値を選択させる画面１４４を示している。
【０１２９】
図１４（Ａ）に示すように、ウィンドウ１３３Ａの入力欄１３７に実施理由が新たに入力され、実施理由の格納指示を行うボタン１４２が操作されると、入力支援装置２００は、端末装置３００に、図１４（Ｂ）に示す画面１４３を表示させる。
【０１３０】
本実施形態の入力支援装置２００は、例えば画面１４３でＹｅｓが選択された場合、入力された実施理由を、実施内容コード「２」と対応付けて共通実施理由テーブル２４２に格納する。この場合、入力された実施理由の共通実施理由コードは、共通実施理由テーブル２４２において実施内容コード「２」と対応する他の共通実施理由コードと連番になるように付与され、優先順位は最下位が付与されても良い。
【０１３１】
本実施形態の入力支援装置２００は、例えば画面１４３でＮｏが選択された場合に、図１４（Ｃ）に示す画面１４４を表示させる。
【０１３２】
画面１４４には、入力された実施理由に対応する照合項目の値として、状態情報に含まれる項目と、利用者ＩＤ「１」のプロファイル情報に含まれる病名と、プロファイル情報のＡＤＬプロファイルテーブル２２３に含まれる各項目とを表示させる。
【０１３３】
具体的には、画面１４４には、利用者ＩＤ「１」の利用者であった場合には、状態情報（体温、血圧、脈拍、呼吸数）の項目と、利用者ＩＤ「１」と対応する病名である「心筋梗塞」と、ＡＤＬプロファイルテーブル２２３に含まれる項目「寝たきり度判定基準」、「認知症老人判定基準」、「老人知能」が選択肢として表示される。
【０１３４】
画面１４４において、上記の何れかが選択されると、実施内容コードに、入力された実施理由と、選択された照合項目の値と、が対応付けられて、個別実施理由テーブル２４３に格納される。
【０１３５】
例えは、入力欄１３７に入力された実施理由の照合項目の値として、「寝たきり度判定基準」が選択されると、実施内容コード「２」と、入力された実施内容と、照合項目「寝たきり度判定基準」と、を対応付けて、個別理由テーブル２４３に格納する。さらに、入力された実施理由の表示条件の値として、利用者ＩＤ「１」のプロファイル情報において、項目「寝たきり度判定基準」の値「３」を対応付けても良い。
【０１３６】
以上のように、本実施形態によれば、利用者の状態に応じて、実施内容を選択した理由の一覧を表示させ、選択させることができる。したがって、本実施形態によれば、記録の入力作業に係る負荷を軽減できる。
【０１３７】
開示の技術では、以下に記載する付記のような形態が考えられる。
（付記１）
複数種類の介護行為の中から、特定の被介護者について実施された介護行為の選択を受け付け、
被介護者の症状を記憶した記憶部を参照して、前記特定の被介護者の症状を特定し、
選択された前記介護行為と、特定された前記症状との組み合わせに応じた、１又は複数の介護に関する１又は複数の情報入力候補を表示し、
選択された前記介護行為と、前記１又は複数の情報入力候補のうち、選択された情報入力候補とを前記被介護者に対応づけて登録する、
処理をコンピュータに実行させる介護情報の入力支援プログラム。
（付記２）
前記情報入力候補は、
前記介護行為が選択された理由として入力される情報の候補であり、
前記情報入力候補は、
前記特定の被介護者と他の被介護者とに共通する第一の理由と、前記特定の被介護者の前記症状に対応した第二の理由の少なくとも何れか一方を含む付記１記載の入力支援プログラム。
（付記３）
前記複数種類の介護行為と、前記第一の理由とが対応付けられた共通理由テーブルを参照し、前記選択された前記介護行為と対応する第一の理由を抽出し、
前記複数種類の介護行為と、前記第二の理由とが対応付けられた個別理由テーブルを参照し、前記選択された前記介護行為と対応する第二の理由のうち、前記被介護者の症状が、前記選択された前記介護行為と対応した所定の条件を満たす前記第二の理由を抽出し、
抽出した前記第一の理由と前記第二の理由と、を前記情報入力候補として表示させる、
処理を前記コンピュータに実行させる付記２記載の介護情報の入力支援プログラム。
（付記４）
抽出された前記第一の理由と前記第二の理由とを、それぞれに付与された優先順位にしたがって表示させる、
処理を前記コンピュータに実行させる付記３記載の介護情報の入力支援プログラム。
（付記５）
新たな情報入力候補の入力要求を受け付けて、
前記新たな情報入力候補の入力画面を表示させる入力画面データを生成して送信し、
前記新たな情報入力候補が、前記第一の理由又は前記第二の理由の何れであるかを選択させる選択画面を表示させる選択画面データを生成して送信し、
選択画面において前記第一の理由が選択されたとき、前記選択された前記介護行為と前記新たな情報入力候補とを対応付けて前記共通理由テーブルへ格納し、
選択画面において前記第二の理由が選択されたとき、前記選択された前記介護行為と前記新たな情報入力候補とを対応付けて前記個別理由テーブルへ格納する、
処理を前記コンピュータに実行させる付記３又は４記載の介護情報の入力支援プログラム。
（付記６）
複数種類の介護行為の中から、特定の被介護者について実施された介護行為の選択を受け付ける入力受付部と、
被介護者の症状を記憶した記憶部を参照して、前記特定の被介護者の症状を特定し、選択された前記介護行為と、特定された前記症状との組み合わせに応じた、１又は複数の介護に関する１又は複数の情報入力候補を表示させる画面データ生成部と、
選択された前記介護行為と、前記１又は複数の情報入力候補のうち、選択された情報入力候補とを前記被介護者に対応づけて登録する介護記録登録部と、
を有する介護情報の入力支援装置。
（付記７）
コンピュータによる介護情報の入力支援方法であって、該コンピュータが、
複数種類の介護行為の中から、特定の被介護者について実施された介護行為の選択を受け付け、
被介護者の症状を記憶した記憶部を参照して、前記特定の被介護者の症状を特定し、
選択された前記介護行為と、特定された前記症状との組み合わせに応じた、１又は複数の介護に関する１又は複数の情報入力候補を表示し、
選択された前記介護行為と、前記１又は複数の情報入力候補のうち、選択された情報入力候補とを前記被介護者に対応づけて登録する、介護情報の入力支援方法。
【０１３８】
本発明は、具体的に開示された実施例に限定されるものではなく、特許請求の範囲から
逸脱することなく、種々の変形や変更が可能である。
【符号の説明】
【０１３９】
１００  入力支援システム
２００  入力支援装置
２１０  入力支援プログラム
２１０Ａ  入力支援処理部
２１１  入力受付部
２１２  プロファイル取得部
２１３  実施内容取得部
２１４  実施理由抽出部
２１５  表示順決定部
２１６  介護記録格納部
２１７  優先順更新部
２１８  画面データ生成部
２１９  実施理由更新部
２２０  プロファイルデータベース
２３０  介護記録データベース
２４０  テーブルデータベース
３００  端末装置
【図１】
2016081236.tif 000003
【図２】
2016081236.tif 000004
【図３】
2016081236.tif 000005
【図４】
2016081236.tif 000006
【図５】
2016081236.tif 000007
【図６】
2016081236.tif 000008
【図７】
2016081236.tif 000009
【図８】
2016081236.tif 000010
【図９】
2016081236.tif 000011
【図１０】
2016081236.tif 000012
【図１１】
2016081236.tif 000013
【図１２】
2016081236.tif 000014
【図１３】
2016081236.tif 000015
【図１４】
2016081236.tif 000016